(57)【要約】      （修正有）【課題】指圧効果を高めると共に、装着性に優れることで日常使用の利便性を高め、頭皮をはじめとする全身へのマッサージを効果的に行うことのできる頭皮マッサージ具を提供する。【解決手段】柔軟な弾性材料からなる基板１５と、押圧先端１４に突出する複数の押圧突起と、各ストラップ部１３への挿入ガイドとなるリング連結部１２を備えており、それぞれの指を連結リングに通すことで装着性に優れた指圧補助具の実現が可能である。【選択図】図２
2016052486.tif 000002
【特許請求の範囲】
【請求項１】
柔軟な弾性素材からなる基盤をリング形状に連結させることで装着性を向上させた指圧補助具
【請求項２】
指の腹の面には１個から複数個の押圧突起を有している請求項１記載の指圧補助具
【請求項３】
指の腹の押圧突起は脱着が可能で、大きさや位置を変える事が出来る請求項１記載の指圧補助具
【発明の詳細な説明】
【発明の詳細な説明】
【技術分野】
【０００１】  本発明は、頭皮をはじめとする身体の指圧マッサージを行う際、押圧突起がついた指サック型の補助具を連結式とすることでそれぞれの指への装着性を向上させた指圧補助具に関するものである。
【背景技術】
【０００２】  頭皮をはじめとする身体のマッサージは、疾病の予防並びに治療を目的に、母指を中心として四指、並びに手掌のみを使用し、全身に定められたツボと呼ばれる指圧点を押圧し、その圧反射により生体機能に作用させ、本来人間の身体に備わっている自然治癒力の働きを促進させ、または、血液の流れを促進して、疲労の回復や予防を図ることが知られている。【０００３】  また特に、頭部には、多くのツボが存在していることから、頭皮を指圧マッサージすることで、疲労した脳や目に刺激を与えて、疲労を回復させたりリラックス感を与えたりすることが可能になる。【０００４】  このような頭皮に対するマッサージは、指先で行われることが多いが、例えば整髪や洗髪を行う際に、これらの整髪や洗髪と同時に頭部へのマッサージ効果を得ることが可能なヘアブラシが知られている（例えば、実用新案文献１、特許文献２参照）。実用新案文献１のマッサージ補助具は、指先に直接取り付けることで、効果的かつ効率的な指圧マッサージができるようにしたものである。
特許文献２のヘアブラシは把持片を備える曲面状に湾曲する扁平な椀状の基板の下面に、多数のブラシ突起を突設させたものである。
【先行技術文献】
【特許文献】
【０００５】
【特許文献２】特許公開２００７−２８２６８１公報
【実用新案文献１】
実用新案出願公開  昭５９−４４４３８公報
【発明の開示】
【発明が解決しようとする課題】
【０００６】  しかしながら、実用新案文献１の指圧器具では複数本の指先に装着する際に非常に手間取ってしまい、日常的な使用には向いていない。
また、特許文献１ではヘアブラシでは、弾力や感触など単一的な頭皮へのマッサージを行うことは可能であるが、多様にあるツボへに対してピンポイントかつ柔軟な指圧補助を行うことが出来ない。【０００７】  本発明は、指圧効果を高めると共に、装着性に優れることで日常使用の利便性を高め、頭皮へのマッサージを効果的に行うことのできる頭皮マッサージ具を提供することを目的とする。
【課題を解決するための手段】
【０００８】  本発明は、柔軟な弾性材料からなる基板１５と、押圧先端１４に突出する複数の押圧突起１６と、各ストラップ部１３への挿入ガイドとなるリング連結部１２を備えており、それぞれの指を連結リングに通すことで装着性に優れた指圧補助具を提供することにより、上記目的を達成したものである。
【発明の効果】
【０００９】  本発明の指圧補助具によれば、押圧部の形状、硬さにより、指先の感覚を損なわず、頭皮をはじめとする全身に定められたツボを効果的かつ効率的に押圧することができ、その圧反射作用によって生体機能に作用させると共に、優れた装着性により、日々の継続的な実施が容易となり、本来人間の備わっている自然治癒力の働きを促進させることが期待できる。
【図面の簡単な説明】
【図１】指圧補助具の正面図である。
【図２】指圧補助具の側面図である。
【図３】指圧補助具の装着図である。
【発明を実施するための形態】
【００１０】図１及び図２に示す指圧補助具１０は、指通し孔１１に各指（人差し指〜小指）を通してストラップ１３を介して指先先端部１４に装着した状態で（図３参照）、押圧突起１６を頭皮（図示せず）に押し付け、指圧の応力を押圧突起１６を介して頭皮を刺激してマッサージを効果的に行える。また指圧補助具１０は、基板１５が、指の動きに合わせて容易に曲折変形できるので、押圧突起１６の位置が安定することにより定められたツボを効果的かつ効率的に指圧しマッサージを行える。
【００１１】指圧補助具１０は、柔軟な弾性材料からなる基板１５と、押圧先端１４の押圧面から下方に突出する複数の押圧突起１６と、基板１５の外側面に設けられたストラップ１３を備えており、複数の指（人さし指から小指）を押圧先端に履き込んだ状態で、指全体に装着して用いるマッサージ具であって（図３参照）、基板１５に、リング連結部１２の周縁部から押圧先端部１４に向って指先形状に切り込まれた指又部１７が形成されている。
【００１２】  指圧補助具１０は、柔軟な弾性材料として、例えばスチレン系、ポリエステル系、オレフィン系、ウレタン系等のエラストマー樹脂等を用いて、好ましくは基板１５と、複数の押圧突起１６を一体成形することにより形成されている。これによって基板１５は、柔軟な弾性材料からなる。基板１５が柔軟な弾性材料からなっていることにより、基板１５に形成された指又部１７による作用と相俟って、基板１５を掌及び指の動きに合わせて、スムースに弾性変形させることが可能になる。
【００１３】  ここで、基板１６を構成する柔軟な弾性材料は、掌による握力によって容易に弾性変形できる程度の弾力性を備える弾性材料であり、５〜３０Ｍｐａの弾力性を備える弾性材料である。
【００１４】  指圧補助具１０のリング連結部１２は、好ましくは掌を自然に開いた時に指先がそのまま挿入できる程度の大きさ及び形状として、例えば横手方向が８０〜１２０ｍｍ程度の半掌形状を備えるように形成される。また、基板１５は、例えば２〜６ｍｍ程度の肉厚を有すると共に、例えば８０〜２００ｍｍ程度の曲率半径で湾曲する波形状の側面部として形成される。これらによって、指圧補助具１０を指先に装着した際に、指通し孔１１の内面に指又をフィットさせ易くして、指先の動きを当該基板１５や複数の押圧突起１６に効率良く伝達させることが可能になる。
【００１５】  また、基板１５には、当該基板１５の押圧先端部１４からリング連結部１２に向って切り込まれた指又部１７が、間隔をおいて３箇所に形成されている。指又部１７は、指圧時の指先の動きが制限されぬよう、その間隔が５〜１５ｍｍ程度となるように形成されている。
【００１６】  図２における押圧先端部１４の下方に突出する複数の押圧突起１６は、各指（人差し指〜小指）に備えられる。
【００１７】  また、指圧補助具１０では、波状部となっている基板１５側面部における縦長方向の長さＬ（図３参照）が、指股部の付け根から人差し指先端部までの長さに対応し、指股部の付け根から人差し指先端部までの、成人の平均的な長さと略等しいか、若しくはこれよりも若干長い長さとなっている。このことにより素材の弾性が働き指圧時に反発作用が発生し、基板１５の弾性変形をスムースに回復することが可能になる。
【００１８】なお、本発明は上記各実施形態に限定されることなく種々の変更が可能である。例えば、基板の周縁部から指又部に向って切り込まれた切込み部は形成されている必要は必ずしもなく、スリット状の切込み部等であってもよい。指通し孔の数も揉み易さなどを考慮すると、基板に２箇所あるいは、それ以上の数形成されていることが好ましいが、少なくとも１箇所に形成されていれば良い。
【００１９】  さらに、基板１５は、波形状を備えている必要は必ずしもなく、平坦な形状であっても良い。
【実施例】
【００２０】  以下、実施例及び比較例により、本発明の頭皮マッサージ用ブラシをさらに詳細に説明するが、本発明はこれらに限定されるものではない。【００２１】  上記実施形態の指圧補助具１０と同様の構成を備える器具を、実施例の指圧補助具とした。なお、全長となるリング連結部１２の外形部から押圧先端外形部１４までの長さを１３４．５ｍｍとし、全幅となる指通し部１１側の長さは２０３．７ｍｍとした。さらに側面部の基板部の曲率半径は１５０ｍｍとし、の最上部となる指通し孔１１から最下部である押圧突起１６までの高さは５３ｍｍとした。これらの材質はエラストマー樹脂でつくられ、その硬度（ショアＡ硬度）は５０である。【００２２】〔使用評価〕
実施例の指圧補助具を１０人のモニターにシャンプーを用いた洗髪時に使用してもらい装着感と指圧効果及び使い心地の各項目についてしよう評価を行った。評価結果を表１に示す。なお各評価項目について、良いを「○」、悪いを「×」、どちらともいえないを「△」として評価した。
【表１】
2016052486.tif 000003
【００２３】  表１に示す評価結果によれば、本発明によれば実施例の指圧補助具によって装着感、指圧効果、使い心地のいずれについても良好な結果が得られることがわかった。
【符号の説明】
【００４２】１０  指圧補助具
１１  指通し孔
１２  リング連結部
１３  ストラップ
１４  押圧先端
１５  基板
１６  押圧突起
１７  指又
【図１】
2016052486.tif 000004
【図２】
2016052486.tif 000005
【図３】
2016052486.tif 000006